(57)【要約】      （修正有）【課題】ソーラーパネルの発電装置の支柱を固定する際、少ない工程で短時間に施工でき、様々な大きさの発電装置に対応するソーラーパネル用柱台枠を提供する。【解決手段】ソーラーパネルを支持する支柱を固定する柱台枠１であり、内側に向かって突出する突出板が下端に形成された柱台枠を高さ方向に増設する柱台枠であって、上面視Ｌ字状に形成された４枚の枠体が接合されることにより形成され、枠体の上端に、上面側に向かって突出する接合起立片が形成されると共に、接合起立片に、外側を開口面とする溝部が形成され、溝部を突出板に嵌合させることにより、柱台枠どうしを接合させるソーラーパネル用柱台枠であって、柱台枠内に配設される、クランプ５２を装着した支持パイプ５１と、鉄筋６と、柱台枠内に注入されるコンクリート４１と、を備える。【選択図】図１２
0003193382.tif 000002
【実用新案登録請求の範囲】
【請求項１】
ソーラーパネルを支持する支柱を固定する柱台枠であり、該柱台枠は、内側に向かって突出する突出板が下端に形成された前記柱台枠を高さ方向に増設する柱台枠であって、上面視Ｌ字状に形成された４枚の枠体が接合されることにより形成され、前記枠体の上端に、上面側に向かって突出する接合起立片が形成されると共に、該接合起立片に、外側を開口面とする溝部が形成され、前記溝部を前記突出板に嵌合させることにより、前記柱台枠と接合させるソーラーパネル用柱台枠であって、
前記柱台枠内に配設される、クランプを装着した支持パイプと、鉄筋と、柱台枠内に注入されるコンクリートと、を備えることを特徴とするソーラーパネル用柱台枠。
【請求項２】
前記鉄筋の基部を設置面内に固定する請求項１記載のソーラーパネル用柱台枠。
【請求項３】
前記柱台枠の基部を設置面内に固定する請求項１又は２記載のソーラーパネル用柱台枠。
【請求項４】
前記溝部は、前記突出板と同一形状に形成される請求項１乃至３のうちいずれか１項に記載のソーラーパネル用柱台枠。
【請求項５】
前記枠体は、右側に、嵌合孔及び円筒嵌合孔が複数形成され、左側に、可動突子、挿入突子及び円筒突子が複数形成され、一方の枠体の前記嵌合孔と、他方の枠体の前記可動突子及び前記挿入突子とを嵌合させるとともに、前記一方の枠体の前記円筒嵌合孔と、前記他方の枠体の前記円筒突子とを嵌合させることにより、前記枠体同士が接合される請求項１乃至４のうちいずれか１項に記載のソーラーパネル用柱台枠。
【考案の詳細な説明】
【技術分野】
【０００１】  本考案は、ソーラーパネルを支持する支柱を容易に、且つ確実に固定することができるソーラーパネル用柱台枠に関する。
【背景技術】
【０００２】  従来より、太陽光を用いて直接的に電力に変えるソーラーパネルを用いた発電方式がある。この発電方式は、空き地や山岳、海岸などに設置することができ、廃棄物、排気、騒音、振動等が発生せず、再生エネルギーが活用できるとして注目を集めている。【０００３】  このようなソーラーパネルを用いた発電方式の従来技術として、ボルト類を一切使用でせずに、しかもワンタッチでソーラーパネルを架設台に取付けられるようにして、施工コストの低減をはかることができるソーラーパネル取付装置がある（例えば特許文献１参照）。【０００４】  特許文献１には、架設台を構成していて、ソーラーパネルの傾斜配置方向に沿って所定間隔をおいて水平に架設された単管状の取付部材に対して、厚さ方向の上端部に発電セルが一体的に組み込まれた複数枚の方形盤状のソーラーパネルを傾斜方向に沿って取付けるための装置であって、前記ソーラーパネルの傾斜配置状態において、当該ソーラーパネルの厚さ方向の下端部における傾斜方向の両端部に、当該傾斜方向と直交する水平方向に沿って設けられた挿入係止板部と、前記傾斜方向沿って隣接する２本の取付部材における前記ソーラーパネルの各コーナー部に対応する部分にクランプされる複数のクランプ具と、前記各クランプ具の上面側に一体に取付けられて、前記傾斜方向に沿って隣接する２枚のソーラーパネルのうち斜上側のソーラーパネルの斜下端側及び斜下側のソーラーパネルの斜下端側の各挿入係止板部をそれぞれ挿入係止させるために、各挿入開口が前記傾斜方向に沿って対向配置された一組の挿入係止溝を有する前記クランプ具と同数の挿入係止具と、を備え、前記傾斜方向に沿って配置される特定のソーラーパネルは、途上端側の挿入係止板部を、前記取付部材にクランプされたクランプ具の上面側に取付けられた挿入係止具の低い側の挿入係止溝に挿入係止させた後に、当該ソーラーパネルの斜下端側の挿入係止板部を、非クランプ状態の別のクランプ具の上面側に取付けられた挿入係止具の高い側の挿入係止溝に挿入係止させた状態で、当該別のクランプ具を、前記傾斜方向に沿って低い側に隣接して架設させた別の取付部材にクランプさせることで、傾斜方向に沿って隣接する２本の取付部材にソーラーパネルを取付ける構成であることを特徴とする。
【先行技術文献】
【特許文献】
【０００５】
【特許文献１】特許第５３９５３０４号公報（特許請求の範囲等）
【考案の概要】
【考案が解決しようとする課題】
【０００６】  特許文献１に記載のソーラーパネル取付装置や一般的なソーラーパネルの発電装置は、パネルを装着する支柱の基部を地中に直接埋設するか、または支柱の基部にコンクリート基台を固着させて設置されている。しかしながら、支柱の基部を地中に直接埋設する場合、強度に不安が生じる。また基部にコンクリート基台を固着させて設置する場合、木材にてコンクリート基台の枠体を形成し、さらに基台作製後、枠体を除去しなければならず、多くの手間やコストを必要とした。【０００７】  そこで考案は上記の点に鑑み、ソーラーパネルの発電装置の支柱を固定する際、少ない工程で短時間に施工することができ、さらには様々な大きさの発電装置に対応することができるソーラーパネル用柱台枠を提供することにある。
【課題を解決するための手段】
【０００８】  上記課題を解決するために本考案のソーラーパネル用柱台枠は、ソーラーパネルを支持する支柱を固定する柱台枠であり、該柱台枠は、内側に向かって突出する突出板が下端に形成された前記柱台枠を高さ方向に増設する柱台枠であって、上面視Ｌ字状に形成された４枚の枠体が接合されることにより形成され、前記枠体の上端に、上面側に向かって突出する接合起立片が形成されると共に、該接合起立片に、外側を開口面とする溝部が形成され、前記溝部を前記突出板に嵌合させることにより、前記柱台枠と接合させるソーラーパネル用柱台枠であって、前記柱台枠内に配設される、クランプを装着した支持パイプと、鉄筋と、柱台枠内に注入されるコンクリートと、を備えることを特徴とする。【０００９】  また、前記鉄筋の基部を設置面内に固定する。【００１０】  また、前記柱台枠の基部を設置面内に固定する。【００１１】  また、前記溝部は前記突出板と同一形状に形成される。【００１２】  さらに前記枠体は、右側に、嵌合孔及び円筒嵌合孔が複数形成され、左側に、可動突子、挿入突子及び円筒突子が複数形成され、一方の枠体の前記嵌合孔と、他方の枠体の前記可動突子及び前記挿入突子とを嵌合させるとともに、前記一方の枠体の前記円筒嵌合孔と、前記他方の枠体の前記円筒突子とを嵌合させることにより、前記枠体同士が接合される。
【考案の効果】
【００１３】  本考案のソーラーパネル用柱台枠によれば、柱台枠内にクランプを装着した支持パイプと鉄筋とを配設させ、該柱台枠内にコンクリートを注入させる構造であるため、容易に、且つ短時間に基礎枠を施工することができる。また柱台枠は複数連結し増設することができるため、様々な大きさのソーラー発電装置にも対抗できる。【００１４】  また、前記鉄筋と柱台枠の基部を設置面内に固定することにより、高い固着強度を実現できる。
【図面の簡単な説明】
【００１５】
【図１】本考案のソーラーパネル用柱台枠の形態を示す外観図である。
【図２】上側枠体の一例を示す正面図である。
【図３】上側枠体の一例を示す左側面図である。
【図４】上側枠体の一例を示す平面図である。
【図５】上側枠体の一例を示す底面図である。
【図６】下側枠体の一例を示す正面図である。
【図７】下側枠体の一例を示す左側面図である。
【図８】下側枠体の一例を示す平面図である。
【図９】上側枠体の一例を示す底面図である。
【図１０】上側枠体及び下側枠体の接合について説明するための略線図である。
【図１１】支柱部分を示す斜視図である。
【図１２】本考案のソーラーパネル用柱台枠の全体斜視図である。
【図１３】前記ソーラーパネル用柱台枠の断面図である。
【図１４】本考案のソーラーパネル用柱台枠の使用状態である。
【考案を実施するための形態】
【００１６】  本考案のソーラーパネル用柱台枠は、ソーラーパネルの発電装置の支柱を固定する際、少ない工程で短時間に施工することができ、さらには様々な大きさの発電装置に対応することができることを特徴とするものである。
以下に、本考案のソーラーパネル用柱台枠の実施の形態を図面に基づいて説明する。
【００１７】  図１は、本考案にかかる柱台枠の一実施例の形態を示し、この柱台枠１は、上側柱台枠２と、上側柱台枠２に対して高さ方向に増設可能な増設柱台枠としての下側柱台枠３とで構成され、柱台枠１の内部にソーラーパネルを支持する支持パイプ等を挿入し、生コンクリートや合成樹脂等の硬化物を流し込むことが可能とされる。
【００１８】  柱台枠１は、上側柱台枠２の下端と、下端柱台枠３の上端とを接合することにより、円錐形状に形成される。上側柱台枠２は、４枚の上側枠体４を組み合わせることにより形成され、下側柱台枠は、４枚の下側枠体５を組み合わせることにより形成される。
【００１９】  まず、上側柱台枠２を構成する上側枠体４について、図２〜図５を参照して説明する。図２及び図３に示すように、上側枠体４の右端部には、端面に沿うようにして嵌合形成部１０が形成され、嵌合形成部１０には、複数の嵌合孔１１、１１、・・・及び円筒嵌合孔１２、１２、・・・が形成される。上側枠体４の左端部には、複数の可動突子１３、１３、・・・、挿入突子１４、１４、・・・、及び円筒突子１５、１５、・・・が形成される。
【００２０】  上側枠体４同士を組み合わせる場合には、一方の上側枠体４の嵌合形成部１０に形成された嵌合孔１１、１１、・・・に、他方の上側枠体４の可動突子１３、１３、・・・、及び挿入突子１４、１４、・・・が嵌合されると共に、円筒嵌合孔１２、１２、・・・に円筒突子１５、１５、・・・が嵌合される。
【００２１】  可動突子１３は、先端部の正面側に係止部１３ａが形成されると共に、背面側に段差部１３ｂが形成される。係止部１３ａは、上側枠体４同士を組み合わせた場合に、枠体同士が容易に外れないように係合させ、段差部１３ｂは、組み合わせた枠体同士をより確実に密着させることができる。
【００２２】  挿入突子１４には、例えば、嵌合突条１４ａ、１４ｂ、・・・が設けられている。この嵌合突条１４ａは、上側枠体４を組み合わせ、嵌合孔１１に挿入突子１４を挿入して嵌合させた際、より確実に嵌合させるためのものである。尚、嵌合突条１４ａは、例えば、挿入突子１４の対抗する面のいずれか一方に設けてもよい。両方設けてもよい。また、挿入突子１４に対して嵌合突条１４ａを設けなくてもよい。
【００２３】  上側枠体４の内面側には、複数の横突条１６、１６、・・・、及び縦突条１７が形成される。横突条１６は、上側枠体４に対する水平方向の強度を増すためのものであり、縦突条１７は、上側枠体４に対する垂直方向の強度を増すためのものである。尚、横突条１６及び縦突条１７は、必要な強度に応じて設けなくてもよい。
【００２４】  図４及び図５に示すように、上側枠体４は、例えば、平板を上面視Ｌ字状に湾曲させた形状とされる。上側枠体４の底面には、内側に向かって突出する突出板１８が形成される。突出板１８は、上側枠体４と後述する下側枠体５とを組み合わせた際に、下側枠体５に設けられた接合起立片３０と嵌合されることにより、上側枠体４と下側枠体５とをより確実に接合させるためのものである。
【００２５】  尚、柱台枠１は、下側柱台枠３を用いずに上側台枠２のみで構成することも可能であり、この場合、突出板１８は、上側枠体４を組み合わせることにより形成された上側柱台枠２の内部に硬化物を流し込んだ際に、上側柱台枠２が硬化物の圧力及び重みにより浮き上がるのを防止することができる。
【００２６】  また、上側枠体４の外形を形成する面と、上側枠体４の左端部に形成された可動突子１３、挿入突子１４及び円筒突子１５との間には、段差部１９が形成される。これにより、上側枠体４を組み合わせて上側柱台枠２が形成された際に、上側枠体４同士を完全に密着させることができる。
【００２７】  次に、下側柱台枠３を構成する下側枠体５について、図６〜図９を参照して説明する。図６及び図７に示すように、下側枠体５の右端部には、端面に沿うようにして嵌合形成部２０が形成され、嵌合形成部２０には、複数の嵌合孔２１、２１、・・・及び円筒嵌合孔２２、２２、・・・が形成される。下側枠体５の左端部には、複数の可動突子２３、２３、・・・、挿入突子２４、２４、・・・、及び円筒突子２５、２５、・・・が形成される。
【００２８】  下側枠体５同士を組み合わせる場合には、一方の下側枠体５の嵌合形成部２０に形成された嵌合孔２１、２１、・・・に、他方の下側枠体５に形成された可動突子２３、２３、・・・、及び挿入突子２４、２４、・・・が嵌合されると共に、円筒嵌合孔２２、２２、・・・に円筒突子２５、２５、・・・が嵌合される。
【００２９】  可動突子２３は、上側枠体４の挿入突子１４と同様に、先端部の正面側に係止部２３ａが形成されると共に、背面側に段差部２３ｂが形成される。可動突子２４には、上側枠体４と同様に、嵌合突条２４ａ，２４ａ、・・・が設けられる。尚、嵌合突条２４ａは、例えば、挿入突子２４の対抗する面のいずれか一方に設けてもよいし、両方に設けてもよい。また、挿入突子２４に対して嵌合突条２４ａを設けなくてもよい。
【００３０】  下側枠体４の内面側には、上側枠体４と同様に、水平方向の強度を増すための複数の横突条２６、２６、・・・が形成される。尚、横突条２６は、必要な強度に応じて設けなくてもよい。また、上側枠体４と同様に、垂直方向の強度を増すための縦突条を設けてもよい。
【００３１】  下側枠体５の上端には、端面から上面方向に突出するようにして接合起立片３０が形成され、接合起立片３０の中央近傍には、外側を開口面とする溝部３１が設けられている。溝部３１は、例えば、上側枠体４に設けられた突出板１８と同一の形状であり、上側枠体４及び下側枠体５を接合させた際に突出板１８が嵌合され、上側枠体４及び下側枠体５が確実に接合される。
【００３２】  図８及び図９に示すように、下側枠体５は、例えば、平板を上面視Ｌ字状に湾曲させた形状とされる。下側枠体５の上面における断面は、上側枠体４の底面における断面と同一の形状とされる。これにより、上側枠体４及び下側枠体５（上側柱台枠２及び下側柱台枠３）を接合させた際に、外形面が一致する。
【００３３】  下側枠体５の底面には、突出板２８が形成される。これにより上側柱台枠及び下側柱台枠３を組み合わせることにより形成された柱台枠１の内部に硬化物を流し込んだ際に、柱台枠１が硬化物の圧力及び重みにより浮き上がるのを防止することができる。
【００３４】  また、下側枠体５の外形を形成する面と、下側枠体５の左端部に形成された可動突子２３、挿入突子２４及び円筒突子２５との間には、段差部２９が形成される。これにより、下側枠体５を組み合わせて下側柱台枠３が形成された際に、下側枠体５同士を完全に密着させることができる。
【００３５】  次に、上側枠体４及び下側枠体５の接合について、図１０を参照にして説明する。図１０に示すように、上側枠体４及び下側枠体５を接合する場合には、下側枠体５の接合起立片３０に設けられた溝部３１と、上側枠体４に設けられた突出体１８とを嵌合させる。このとき、溝部３１の形状は、突出板１８の形状と同一形状であるため、溝部３１及び突出板１８が確実に嵌合し、接合起立片３０に溝部３１が設けられていない場合と比較して、上側枠体４及び下側枠体５をより確実に接合することができる。
【００３６】  また、実際に柱台枠１を組み立てる場合には、４枚の下側枠体５を組み合わせることにより形成された下側柱台枠３に対して、４枚の上側枠体４を１枚ずつ順次嵌合させながら組み合わせ、上側柱台枠２を形成する。これにより、上側柱台枠２及び下側柱台枠３が接合された柱台枠１が形成される。このとき、各下側枠体５の接合起立片３０に設けられた溝部３１に対して、各上側枠体４の突出板１８が嵌合されるため、下側柱台枠３に対する上側柱台枠２の回転を防ぎ、固定された状態で上側柱台枠２及び下側柱台枠３を確実に接合することができる。
【００３７】  また、上側枠体４同士を組み合わせた際に、段差部１９により上側枠体４同士が完全に密着すると共に、下側枠体５同士を組み合わせた際に、段差部２９により下側枠体５同士が完全に密着する。そのため、上側枠体４同士の接合部分、及び下側枠体５同士の接合部分から硬化物が漏れ出すのを防ぐことができる。
【００３８】  さらに、上側柱台枠２及び下側柱台枠３が接合されると、下側枠体５に形成された接合起立片３０が上側柱台枠２及び下側柱台枠３の接合部分を内側から覆うようにされる。そのため、柱台枠１の内部に流し込まれる硬化物が上側柱台枠２及び下側柱台枠３の接合部分から漏れ出すのを防ぐことができる。
【００３９】  以上のように、本実施の形態によれば、上側柱台枠２を形成する上側枠体４の下端に設けられた突出板１８と、下側柱台枠３を形成する下側枠体５の上端に設けられた接合起立片３０の溝部３１と嵌合させるため、上側柱台枠２及び下側柱台枠３を確実に接合させることができる。
【００４０】  また、溝部３１の形状が突出板１８の形状と同一形状とされるため、上側柱台枠２及び下側柱台枠３を接合させた際に、下側柱台枠３に対する上側柱台枠２の回転等を防ぐことができるため、上側柱台枠２及び下側柱台枠３を確実に接合させることができる。
【００４１】  以上、本考案の実施の形態について説明したが、本考案は上述した実施の形態に限定されるものではないが、本考案の要旨を逸脱しない範囲内で様々な変形や応用が可能である。例えば、突出板１８及び／又は突出板２８に対して挿通孔を設け、柱台枠を設置した際に挿通孔にボルトを挿通させ、柱台枠を地面に固定するようにしてもよい。これにより、柱台の浮き上がりを防止することができる。また図示する以外にも、様々な形状の柱台枠を組み合わせることにより、形状や寸法の異なる柱台枠を形成することができる。
【００４２】  次に、本考案のソーラーパネル用柱台枠の実施の形態を、図１１乃至図１４に基づいて説明する。
【００４３】  図１１乃至図１３は、前記柱台枠１内に配設される、クランプ５２を装着した支持パイプ５１を示す。前記支持パイプ５１は中空状を呈しており、下部には前記柱台枠１が、上部にはソーラーパネル６０が装着されている。前記クランプ５２は、二本の単管を連結するために使用される締付け部材であり、ナットを締め付けることにより、ワンタッチで着脱可能とされる。
【００４４】  図１２は、鉄筋６と、クランプ５２を装着した支持パイプ５１を配設した前記柱台枠１内に、コンクリート４１を注入した状態を示す。前記柱台枠１内に鉄筋６と支持パイプ５１を配設した状態でコンクリート４１を注入する。注入されたコンクリート４１が硬化した後、柱台枠１はそのまま装着した状態で完成される。そのことにより、施工と仕上げが同時に完了し、面倒な後仕上げを必要としない。なお、前記柱台枠１内に収容される鉄筋６は、硬化したコンクリート４１を補強するものであれば、如何なる構造であってもよい。
【００４５】  また前記柱台枠１内に配置される鉄筋６は、汎用の構造を呈しており、設置面４０の地中に埋設される軸部７と、軸部７間に固定された複数の枠体８とからなる。
【００４６】  また他の好適例として、図１３に示すように、前記鉄筋６の軸部９を設置面４０内に埋設することが好ましい。鉄筋６の軸部９を設置面４０内に埋設することにより、硬化後のコンクリート４１の設置強度を向上することができる。
【００４７】  また他の好適例として、前記柱台枠１の下部開口部９を設置面４０内に埋設することが好ましい。下部開口部９を設置面４０内に埋設することにより、柱台枠１の設置強度を向上することができる。
【００４８】  図１４は、ソーラーパネル用柱台枠５０の使用例を示す。図１４においては、複数のソーラーパネル６０を配置させた大規模のソーラー発電装置であり、前記ソーラーパネル６０を支える支持パイプ５１の下部にソーラーパネル用柱台枠５０を装着した状態を示す。
【００４９】  上述の構造により、本考案のソーラーパネル用柱台枠は、ソーラーパネルの発電装置の支柱を固定する際、少ない工程で、且つ短時間に施工することができ、さらには様々な大きさの発電装置に対応することができる。
【符号の説明】
【００５０】１    柱台枠
２    上側柱台枠
３    下側柱台枠
４    上側枠体
５    下側枠体
６    鉄筋
７    軸部
８    枠体
９    下部開口部
１０、２０  嵌合形成部
１１、２１  嵌合孔
１２、２２  円筒嵌合孔
１３、２３  可動突子
１３ａ、２３ａ  係止部
１３ｂ、１３ｂ  段差部
１４、２４  挿入突子
１４ａ、２４ａ  嵌合突条
１５、２５  円筒突子
１６、２６  横突条
１７  縦突条
１８、２８  突出板
１９、２９  段差部
３０  接合起立部
３１  溝部
４０  設置面
４１  コンクリート
５０  ソーラーパネル用柱台枠
５１  支持パイプ
５２  クランプ
６０  ソーラーパネル
【図１】
0003193382.tif 000003
【図２】
0003193382.tif 000004
【図３】
0003193382.tif 000005
【図４】
0003193382.tif 000006
【図５】
0003193382.tif 000007
【図６】
0003193382.tif 000008
【図７】
0003193382.tif 000009
【図８】
0003193382.tif 000010
【図９】
0003193382.tif 000011
【図１０】
0003193382.tif 000012
【図１１】
0003193382.tif 000013
【図１２】
0003193382.tif 000014
【図１３】
0003193382.tif 000015
【図１４】
0003193382.tif 000016